(57)【要約】【課題】上部フラップと下部フラップとを折り曲げ、接着剤により接着し封緘する箱蓋を有する組箱において、箱蓋を開封する際に、僅かな力で開封でき、下部フラップを破損することなく、再封、再利用が可能であり、下部フラップへ印刷可能な空隙部を設けた組箱の提供。【解決手段】下部フラップの接着剤塗布部に、開封用の破断部を形成し、該破断部は、下部フラップを長手方向に二等分した場合に、下部フラップの概略中心部に設けた空隙部を挟んで短辺で相対向する台形状を有すると共に、破断部が剥離された後の下部フラップ面には印刷可能な空間を残す大きさであって、当該台形の短辺および長辺は、フラップの厚み方向に貫通した切り込み線で構成され、台形の両側辺は、破断部を剥離方向に開封可能にリードしうる連続した形状を有するハーフカット線またはフラップの厚み方向に貫通した切り込み線で構成させたものである。【選択図】　　　　　図１
2004051204.tif 000002
【特許請求の範囲】
【請求項１】
段ボール等の厚紙よりなり、上部開口部が側壁に連なる４枚の上下フラップによって構成され、上部フラップと下部フラップとを折り曲げたときに相対向する両フラップを接着剤により接着し封緘する箱蓋を有する段ボール箱等の組箱において、
上部フラップと下部フラップとを折り曲げたときに相対向する下部フラップの接着剤塗布部に、開封用の破断部を形成し、
下部フラップに形成される開封用の該破断部は、下部フラップを長手方向に二等分した場合に、下部フラップの概略中心部に設けた空隙部を挟んで短辺で相対向する多角形状または円形状を有すると共に、破断部が剥離された後の下部フラップ面には印刷可能な空間を残す大きさであって、
当該形状の相対向する辺または弧は、フラップの厚み方向に貫通した切り込み線で構成され、当該形状の両側辺または両側弧は、破断部を剥離方向に開封可能にリードしうる連続した形状を有するハーフカット線またはフラップの厚み方向に貫通した切り込み線で構成されている、
ことを特徴とするダンボール箱等の組箱。
【請求項２】
破断部の形状が、台形、矩形または正方形である請求項１に記載のダンボール等の組箱。
【請求項３】
破断部の形状が、円または楕円である請求項１に記載のダンボール等の組箱。
【請求項４】
段ボール等の厚紙よりなり、上部開口部が側壁に連なる４枚の上下フラップによって構成され、上部フラップと下部フラップとを折り曲げたときに相対向する両フラップを接着剤により接着し封緘する箱蓋を有する段ボール箱等の組箱において、
上部フラップと下部フラップとを折り曲げたときに相対向する下部フラップの接着剤塗布部に、開封用の破断部を形成し、
下部フラップに形成される開封用の該破断部は、下部フラップを長手方向に二等分した場合に、下部フラップの概略中心部に設けた空隙部を挟んで短辺で相対向する台形状を有すると共に、破断部が剥離された後の下部フラップ面には印刷可能な空間を残す大きさであって、
当該台形の短辺および長辺は、フラップの厚み方向に貫通した切り込み線で構成され、台形の両側辺は、破断部を剥離方向に開封可能にリードしうる連続した形状を有するハーフカット線またはフラップの厚み方向に貫通した切り込み線で構成されている、
ことを特徴とするダンボール箱等の組箱。
【発明の詳細な説明】
【０００１】
【発明の属する技術分野】
本発明は、商品の輸送保管等の荷役に使用する段ボール箱などの組箱に係り、詳細には、開封時の取り扱いが容易な段ボール箱等の組箱に関する。
【０００２】
【従来の技術】
従来から商品の輸送、保管には段ボール等の厚紙により形成した組箱が使用されている。一般にこのような段ボール箱等の組箱は、通常、上部開口部が４側壁に連なる４枚の上下フラップ（内外フラップと称されることもある）によって構成され、上部フラップと下部フラップとを折り曲げたときに相対向する両フラップを接着剤により接着し封緘する手段がとられている。
【０００３】
この場合の上部開口部における封緘は、輸送中または市場での自然開封による商品の破損の防止、商品の欠損あるいは異物、昆虫等の混入または侵入を防ぐために、上部フラップと下部フラップとを接着剤により強固に封緘されている。すなわち、このような段ボール箱等を接着剤で封緘する場合には、従来の封緘機では、下部フラップ上面または上部フラップ裏面にホットメルト接着剤を１〜１０本程度線状にまたは点状に塗布して、上下フラップを圧着することで封緘している。
【０００４】
したがって、段ボール箱等の上下フラップ部が強固に封緘されているときは、開封時には接着強度が強すぎて、上部フラップあるいは下部フラップを破壊して開封しなければならず、今日の資源のリサイクルが求められている現状下では、使用済みの段ボール箱の再使用ができず、資源の損失が生じていた。さらに、材質破壊を伴うほどの強い力で開封しなければならないことより、女性や高齢者では開封が困難である場合が生じる問題点があった。
【０００５】
そのため、封緘の強度をコントロールする方法として、接着剤の塗布量（塗布面積）を増減することにより行うことが考えられるが、組箱の材質等のバラツキにより接着剤の塗布量の増減が必ずしも接着強度の増減と一致せず、そのコントロールが難しく、また接着強度が低くなりすぎた場合には、箱蓋の自然開封の問題を生じていた。
【０００６】
かかる問題点を解決するため、先に本発明者は、箱蓋の封緘の接着強度は従来通り強固になしうるものでありながら、上下フラップの対向接着部分を剥がして箱蓋を開封する際に、僅かな力であっても容易に開封を行い得ることができる段ボール等の組箱を提供している（特願２００１−１１６１７６）。
【０００７】
本発明者が提供したダンボール等の組箱は、例えば図６に示すように、上部フラップ２と下部フラップ３とを折り曲げたときに相対向する上部フラップまたは下部フラップのいずれか一方、もしくはその両者、好ましくは下部フラップ３の接着剤塗布部に、開封用の破断部４を、例えば正方形ないし長方形の破断部４をフラップの厚み方向に貫通した切り込み線で形成したことを特徴とする段ボール箱等の組箱である。
【０００８】
すなわち、先に本発明者が提供したダンボール等の組箱は、組箱の上部開口部を構成する箱蓋部分を開封するために接着されている上下フラップを剥がす際には、下部フラップ３の接着剤塗布部に開封用の破断部４を設けてあるため、上部フラップ２の剥離と共に、下部フラップ３に設けた開封用の破断部４は切り込み線により上部フラップに接着して破断され、上部フラップ２と共に剥離されるため、僅かな力であっても容易に開封できるようにしたものであった。
【０００９】
このように、先に提案した組箱においては、上下フラップの開封が僅かな力で容易に行い得るものではあるが、下部フラップ３に設けた破断用の破断部４は、下部フラップの面積に対して比較的大きなスペースを取るよう構成させていた。したがって、開封した場合には、下部フラップ自体が大きく剥離してしまい、下部フラップ面に、例えば商品説明等の印刷部を設けることができず、また印刷部を設けたとしても、その部分が一緒に剥がれてしまい、印刷文字が判読できない事態が生じる。
【００１０】
加えて、組箱等に収納された商品が残っている場合には再封して保存しておく必要があるが、下部フラップの破断部が大きいために、再封使用が不可能である問題点があった。さらに、使用済みのダンボール組箱を再利用するに際しても、再封が不可能な場合には、再利用ができないものであり、限られた地球資源のリサイクル運動が積極的に進められている現状下では、時代の流れに逆行することともなっていた。
【００１１】
【発明が解決しようとする課題】
したがって本発明は、先に提案したダンボール箱等の組箱が有する問題点を解決したものであって、箱蓋の封緘の接着強度については従来通り強固になしうるものでありながら、上下フラップの対向接着部分を剥がして箱蓋を開封する際には、僅かな力で容易に行うことができると共に、開封した後の段ボール箱等の組箱について、その再封することが可能であり、かつ使用済みにおいても再利用が可能である段ボール箱等の組箱を提供することを課題とする。
【００１２】
【課題を解決するための手段】
かかる課題を解決するための基本的な態様として、請求項１に記載の発明は、段ボール等の厚紙よりなり、上部開口部が側壁に連なる４枚の上下フラップによって構成され、上部フラップと下部フラップとを折り曲げたときに相対向する両フラップを接着剤により接着し封緘する箱蓋を有する段ボール箱等の組箱において、
上部フラップと下部フラップとを折り曲げたときに相対向する下部フラップの接着剤塗布部に、開封用の破断部を形成し、
下部フラップに形成される開封用の該破断部は、下部フラップを長手方向に二等分した場合に、下部フラップの概略中心部に設けた空隙部を挟んで相対向する多角形または円形状を有すると共に、破断部が剥離された後の下部フラップ面には印刷可能な空間を残す大きさであって、
当該形状の相対向する辺または弧は、フラップの厚み方向に貫通した切り込み線で構成され、当該形状の両側辺または両側弧は、破断部を剥離方向に開封可能にリードしうる連続した形状を有するハーフカット線またはフラップの厚み方向に貫通した切り込み線で構成されている、
ことを特徴とするダンボール箱等の組箱である。
【００１３】
すなわち本発明は、先に提案したダンボール等の組箱において、上下フラップの接着強度を大きくするためには、ホットメルトタイプの接着剤の塗布面積を大きくすればよいのであるが、接着面積を大きくするためには、破断部も大きくしなければならず、再封が困難なものとなる問題点を解決したものであり、破断部を小さなものとしながらその開封を容易に行い得るようにしたものである。
【００１４】
その手段として、下部フラップに存在させる破断部を、比較的小さな多角形または円形状として存在させることにより行うものである。かかる多角形または円形状の破断部としたことにより、開封にしたがって効果的に破断部の剥離が容易に行い得るものである点、さらに、当該破断部の形状を小さなものとしたことにより、再封が容易に行い得るばかりでなく、下部フラップ面に、ダンボール箱等に収納する商品の説明等を印刷し得る空間部を設けた点に特徴を有するものである。
【００１５】
そのような多角形または円形状の破断部としては、台形、矩形、正方形、円または楕円等の形状とすることができる。したがって請求項２に記載の本発明は、請求項１の発明において、破断部の形状が、台形、矩形または正方形であるダンボール等の組箱である。
さらに請求項３に記載の本発明は、請求項１に記載の発明において、破断部の形状が、円または楕円であるダンボール等の組箱である。
【００１６】
そのなかでも、破断部の形状として、台形状のものが好ましい。したがってより具体的な請求項４に記載の本発明は、段ボール等の厚紙よりなり、上部開口部が側壁に連なる４枚の上下フラップによって構成され、上部フラップと下部フラップとを折り曲げたときに相対向する両フラップを接着剤により接着し封緘する箱蓋を有する段ボール箱等の組箱において、
上部フラップと下部フラップとを折り曲げたときに相対向する下部フラップの接着剤塗布部に、開封用の破断部を形成し、
下部フラップに形成される開封用の該破断部は、下部フラップを長手方向に二等分した場合に、下部フラップの概略中心部に設けた空隙部を挟んで短辺で相対向する台形状を有すると共に、破断部が剥離された後の下部フラップ面には印刷可能な空間を残す大きさであって、
当該台形の短辺および長辺は、フラップの厚み方向に貫通した切り込み線で構成され、台形の両側辺は、破断部を剥離方向に開封可能にリードしうる連続した形状を有するハーフカット線またはフラップの厚み方向に貫通した切り込み線で構成されている、
ことを特徴とするダンボール箱等の組箱である。
【００１７】
【発明の実施の形態】
以下に、本発明の好ましい態様である破断部の形状が台形状であるダンボール等の組箱の実施例を、図面を参照にしながら説明することにより、本発明をさらに詳細に説明する。
図１に、本発明が提供する輸送用の段ボール箱の一実施例を斜視図で示した。図中、段ボール箱１は、段ボール等の厚紙よりなり、上部開口部は、側壁に連なる、各一対の上部フラップ２、２と、下部フラップ３、３とにより構成されており、かかる開口部の封緘は、上部フラップ２と、下部フラップ３とを折り曲げたときに相対向する面に接着剤を塗布する塗布部を設け、該塗布部にホットメルト接着剤５を１〜１０本程度線状に塗布した後、上下フラップを圧着することで行われる。
【００１８】
本発明の組箱は、上記の構成に基づく箱蓋において、上部フラップ２と下部フラップ３とを折り曲げたときに相対向する上部フラップ２または下部フラップ３のうち、上部フラップ２に設けた接着剤５の塗布部に対向する下部フラップ３の接着剤接触部分に、開封用の破断部４を形成したものである。
【００１９】
特に本発明の下部フラップに形成される開封用の破断部４は、下部フラップを長手方向に二等分した場合に、下部フラップの概略中心部に設けた空隙部を挟んで短辺で相対向する台形状を有しており、その大きさは、開封に際して、破断部４が上部フラップ２と接着されて剥離された後の下部フラップ面に、印刷可能な余白部（スペース）６（図中、矢印部）を残す大きさである。
【００２０】
そのような下部フラップへの開封用の破断部４を設けた、本発明が提供するダンボール箱の具体的展開図を、図２として示した。
図中、１０は本発明が提供する組箱の一つとして図１に示したダンボール箱１の組み立て前のダンボール展開品であり、具体的ダンボール組箱は、側壁の糊代２０に接着剤を塗布し、互いに隣接する側壁同士が接着された後、底辺部を構成する下部フラップ３’と上部フラップ２’とが折り曲げられ、両者を接着剤により接着することによりダンボール箱の底部が形成される。
【００２１】
一方、ダンボールの箱蓋となる部分には、上部フラップ２と下部フラップ３とを折り曲げたときに相対向する両フラップを接着剤により接着し封緘されるが、この場合の下部フラップ３，３に、下部フラップの概略中心部に設けた空隙部を挟んで短辺で相対向する台形状の開封用の破断部４，４が形成されているのである。
【００２２】
図２においては、下部フラップ３に設けられた台形状を有する開封用の破断部４は、破断部４が上部フラップ２と接着されて剥離された後の下部フラップ面に、印刷可能な余白部（図中、矢印部分）を残す大きさとして形成されている。その印刷可能な余白部（スペース）の大きさは、一概には特定し得ないが、図２においては、下部フラップの概略３分の１程度の大きさとされており、したがって、それに対応して剥離部４を台形の大きさが定められることとなる。
【００２３】
この下部フラップの拡大部分図を図３として示す。すなわち、下部フラップ３に設けられた開封用の破断部４の残り部分ａの幅は、下部フラップ３の概略３分の１程度の大きさとされており、それに対応して破断部４の台形の大きさが定められることとなる。したがって、図中３における開封用の破断部４の大きさｂは、破断部４の残り部分ａの幅に対応して定められ、概略、下部フラップ長手方向の約１／５〜約１／６程度の大きさとされている。
【００２４】
さらに本発明の下部フラップ３に形成される開封用の台形状である破断部４にあっては、その短辺３０および長辺３１の両者は、フラップの厚み方向に貫通した切り込み線で構成されている。すなわち、組箱の開封にあたっては、上部フラップ２を下部フラップ３より剥離・開封するのであるが、剥離開始時に、上部フラップ２に接着され開封と同時に上部フラップと共に剥離する破断部４の下部フラップ３からの切断がスムースに開始されるよう、当該短辺３０は、フラップの厚み方向に貫通した切り込み線で構成されているのである。また、開封終了時には、上部フラップと共に剥離する破断部４の下部フラップ３からの完全剥離が行われるよう、長辺３１もフラップの厚み方向に貫通した切り込み線で構成されているのである。
【００２５】
一方、下部フラップ３に形成される開封用の台形状である破断部４にあっては、その台形状の両側辺３２は破断部を剥離方向に開封可能にリードしうる連続した形状を有する切り込み線で構成されている。かかる切り込み線は、連続切り込み線でも、また破線状の切り込み線であってもよい。図中３における側辺３２は、剥離方向に開封を容易にリードしうるよう、幾分斜めの連続した丸みを帯びた破線で構成されている。
【００２６】
なお、この場合の両側辺３２の切り込み線は、フラップの厚み方向の途中までカットしたハーフカット線、若しくはフラップの厚み方向に貫通した切り込み線であってもよい。
【００２７】
さらに、下部フラップ３に形成される開封用の台形状である破断部４にあっては、下部フラップ３を長手方向に二等分した場合に、下部フラップの概略中心部に設けた空隙部（図中、ｃの幅の空隙部）を挟んで短辺で相対向する台形状として形成されている。この中間部にｃの幅の空隙部を設けることにより、上部フラップ２に接着剤を塗布し、下部フラップ３と接着させて封緘する場合に、相対する２個の破断部４の短辺３０が一方の上部フラップ２のみでカバーされてしまうことを回避するためのものであり、その空隙部の幅ｃは、かかる目的を達成し得るにたる幅であればよく、特に限定されるものではない。
【００２８】
かかる組箱の封緘に際しては、下部フラップ３に設けた破断部４を被覆するように上部フラップ２にホットメルト接着剤５を塗布した後、上部フラップ２および下部フラップ３を圧着して封緘が完了する。したがって、開封を行う場合には、上部フラップ２を剥がすことにより、下部フラップ３に設けた開封用の破断部４が、接着剤５により上部フラップ２に接着したまま下部フラップ３から破断され、引き剥がされることとなり、それほど強い力を必要としないで、簡単に開封することが可能となる。
【００２９】
なお、この場合のホットメルト接着剤５の塗布は、下部フラップ３に設けた破断部４を被覆するような長さの塗布であればよい。また、破断部４を超えてホットメルト接着剤を塗布することも可能である。すなわちホットメルト接着剤５を塗布する場合には、破断部４が台形状の形状を有していることより、破断部４以外の下部フラップ３に多少及ぶ場合も生じるが、かかる場合であっても、開封時には開封用の破断部４が、上部フラップ２によりより破断されていくこととなり、したがって、その破断に伴い破断部４以外の下部フラップ３に及んだ接着部もスムースに剥離されることとなる。
【００３０】
本発明の組箱の開封を行う場合には、上部フラップ２を剥がすことにより、下部フラップ３に設けた開封用の破断部４が、接着剤により上部フラップ２に接着したまま上部フラップで破断され、容易に引き剥がされることとなる。かかる状態を図４に示した。
【００３１】
上記した本発明の組箱は、破断部４の形状が台形状のものであるが、かかる破断部として矩形または正方形状の多角形状を採ることもでき、また円または楕円状の円形状を採ることもできる。その場合の多角形状または円形状の破断部の場合も、基本的には上記した台形状の場合と同様に、下部フラップを長手方向に二等分した場合に、下部フラップの概略中心部に設けた空隙部を挟んで相対向する多角形状または円形状を有しており、その大きさは、開封に際して、破断部が上部フラップ２接着されて剥離された後の下部フラップ面に、印刷可能な余白部（スペース）を残す大きさであればよい。
かかる一例として、下部フラップに形成される開封用の破断部４として楕円状を有する場合の下部フラップの拡大部分図を図５に示した。
【００３２】
図中において、下部フラップ３に形成される開封用の楕円状である破断部４にあっては、その相対する弧３３、３４は、フラップの厚み方向に貫通した切り込み線で構成され、両側弧３５は、破断部４を剥離方向に開封可能にリードしうる連続した形状を有する切り込み線で構成されている。この場合の両側弧３５の切り込み線は、フラップの厚み方向の途中までカットしたハーフカット線、若しくはフラップの厚み方向に貫通した切り込み線であってもよい。
【００３３】
【実施例】
以下に、上記した具体的図面に基づく実施例をもとに、実際に封緘した段ボール箱の開封試験の実施例を挙げ、本発明を具体的に説明する。ただし、本発明はこれら実施例に限定されるものではない。
【００３４】
実施例
図３に示した開封用の破断部４を有し、図２に示した展開形状を有する組箱の底部を、相対する上下フラップを接着することにより図１に示す段ボール箱を作成し、従来の封緘機で上下フラップをホットメルト圧着封緘した。この段ボールの上部開口部を開封したところ、約１０ｋｇの力で開封することができた。
従来の段ボールでは開封する場合には、２４ｋｇの力が必要であった。
なお、上記で封緘した段ボール箱について、開封用の破断部を設けた該当個所に局部的な衝撃を与えたが、上下フラップの接着部は破壊されず、箱蓋が自然に開封することはなかった。
【００３５】
【発明の効果】
以上記載のように、本発明が提供する段ボール箱等の組箱は、上部フラップと下部フラップとを折り曲げたときに相対向する下部フラップの接着剤塗布部に、開封用の破断部を比較的小さな多角形または円形状で形成したことを特徴とする段ボール箱等の組箱である。
これまでの組箱の封緘・開封が、下部フラップ表面あるいは上部フラップ裏面におけるホットメルト粘着剤の接着部分のいずれかの破壊を伴って行われるのに対し、本発明はホットメルト粘着剤の接着部を破壊するもではなく、例えば接着が塗布されている下部フラップの小さな破断部を上部フラップと共に接着して取り除くことで、容易な開封を実現させたものである。
【００３６】
したがって、開封するにあたっては上部フラップを持ち上げることにより接着部は下部フラップの剥離部より容易に剥離し、僅かな力で容易に開封することができ、力のない女性や高齢者でも簡単に開封できる一方、これまでの封緘の接着強度を損なうものでもない利点を有するものである。
【００３７】
さらに、下部フラップに設けた破断部は比較的小さなものであるため、再封も可能なものであり、また使用済みであってもその再使用が可能なものとなり、リサイクルとしての資源の損失を防止し得る利点も有するものである。
【図面の簡単な説明】
【図１】本発明が提供する実施例に基づく、輸送用段ボール箱の斜視図である。
【図２】本発明が提供する段ボール箱の、図１の実施例の展開図である。
【図３】本発明が提供する段ボール箱の、下部フラップ部分の拡大図である。
【図４】本発明が提供する段ボール箱の、開封後の下部フラップの破断部が剥離・破断された状態を示した説明図である。
【図５】本発明が提供する別の実施例に基づく段ボール箱の、下部フラップ部分の拡大図である。
【図６】先行技術としての輸送用段ボール箱の斜視図である。
【符号の説明】
１…段ボール箱
２…上部フラップ
３…下部フラップ
４…破断部
５…接着剤
【図１】
2004051204.tif 000003
【図２】
2004051204.tif 000004
【図３】
2004051204.tif 000005
【図４】
2004051204.tif 000006
【図５】
2004051204.tif 000007
【図６】
2004051204.tif 000008